(57)【要約】  【課題】  複数の情報処理装置が保有する情報を容易に共通化する。  【解決手段】  情報同期装置１を家の情報処理装置（ＰＣ）２ｂや車載の情報処理装置２ａの近くに置くと、情報同期装置１と情報処理装置２間での認証後、情報同期装置１から格納したコンテンツのリストである格納リストが送信される。情報処理装置２ｂでは、自装置の保存リストと受信した格納リストを比較して、自保有コンテンツを情報同期装置１に送信し、非保有コンテンツを情報同期装置１から受信する。この共通化処理を複数の情報処理装置２と情報同期装置１との間で行うことにより、各情報処理装置２が保有するコンテンツは同一になり共通化される。  【選択図】  図４
2005267157.tif 000002
【特許請求の範囲】
【請求項１】
登録された複数の情報処理装置が保有する情報を共通化する情報同期装置であって、
情報を格納する情報格納手段と、
前記格納した情報の格納リストを記憶する格納リスト記憶手段と、
前記登録された情報処理装置の存在を検出する検出手段と、
前記検出した情報処理装置に対して前記格納リストを送信する格納リスト送信手段と、
前記格納リストの送信に基づいて前記情報処理装置から要求された情報を送信し、前記情報処理装置から送信された情報を受信して前記情報格納手段に格納する格納情報送受信手段と、
前記受信した情報を含むように前記格納リストを更新する格納リスト更新手段と、を具備することを特徴とする情報同期装置。
【請求項２】
前記登録された情報処理装置の数がｎである場合、前記格納情報送受信手段によりｎ−１回送信した情報を前記情報格納手段から削除する削除手段と、を具備することを特徴とする請求項１に記載の情報同期装置。
【請求項３】
請求項１又は請求項２に記載した情報同期装置を介して、他の情報処理装置と情報を共通化する情報処理装置であって、
情報を保存する情報保存手段と、
前記保存した情報の保存リストを記憶する保存リスト記憶手段と、
前記情報同期装置から送信される格納リストを受信する格納リスト受信手段と、
前記保存リスト記憶手段に記憶された保存リストと前記受信した格納リストを比較し、自装置が保有し前記情報同期装置が保有しない自保有情報と、自装置が保有せず前記情報同期装置が保有している非保有情報を決定する決定手段と、
前記情報同期装置に前記非保有情報の送信を要求する情報要求手段と、
前記要求に基づいて前記情報同期装置から送信される非保有情報を受信して前記情報保存手段に保存し、前記自保有情報を前記情報同期装置に送信する保存情報送受信手段と、
前記受信した非保有情報を含むように前記保存リストを更新する保存リスト更新手段と、を具備することを特徴とする情報処理装置。
【発明の詳細な説明】
【技術分野】
【０００１】
本発明は、情報同期装置及び情報処理装置に係り、お互いが保有する情報を共通化する情報同期装置及び情報処置装置に関する。
【背景技術】
【０００２】
家庭のパーソナルコンピュータ（ＰＣ）やナビゲーション装置等の車載装置といった各種情報処理装置が広く普及している。
これらの各種情報処理装置では、従来各々の装置が独立してデジタルコンテンツを取得していたが、一方の情報処理装置で取得したコンテンツを別の情報処理装置にも保有させることでお互いに保有するコンテンツを共通化させたいという要求がある。
例えば、オンライン音楽販売等で購入したデジタル音楽やＰＣで更新可能なＰＯＩ（Ｐｏｉｎｔ  Ｏｆ  Ｉｎｔｅｒｅｓｔ）データ（地点とその位置にある施設等を関連付けた情報）等のデジタルコンテンツを、自分の車両に搭載された情報処理装置にも保存して利用したい場合がある。この逆に、車載された情報処理装置で収集した走行履歴、プローブデジタル等を家庭のＰＣにも保存したい場合がある。
また、複数の車両に搭載された情報処理装置間で交通情報、渋滞情報等のデジタルコンテンツを共通化させたい場合もある。
【０００３】
このような場合、従来では（１）半導体メモリ等のポータブルメモリへのコピーを介して共通化する方法、（２）携帯電話等の無線通信装置を使って車載端末にダウンロードする方法がとられている。
また、車載された情報処理装置間でのデータ通信を無線ＬＡＮにより行う方法が特許文献１で提案されている。
【０００４】
【特許文献１】特開２００１−１３６１９０
【発明の開示】
【発明が解決しようとする課題】
【０００５】
しかし、半導体メモリを介しての共通化の場合、２度のコピー処理を行う必要があり煩わしい。
一方、携帯電話によるダウンロードの場合、データ通信料の負担や携帯電話の通信可能エリアの問題、車載端末側の通信の際の電力消費等の問題がある。
さらに、無線ＬＡＮを使用する特許文献１の方法の場合、車両は走行しながらの通信を行う場合が多いため、走行中においてデータの送受信を行う場合、データの送受信を行うそれぞれの車両がデータ転送可能域内に存在している時間が短いことが多く、データの送受信を完全には終了できないことが頻繁に起こり得る。
【０００６】
そこで本発明は、複数の情報処理装置が保有する情報を容易に共通化することが可能な情報同期装置を提供することを第１の目的とする。
また、情報同期装置を使用して他の情報処理装置との間で容易に情報を共通化することが可能な情報処理装置を提供することを第２の目的とする。
【課題を解決するための手段】
【０００７】
請求項１に記載の発明では、登録された複数の情報処理装置が保有する情報を共通化する情報同期装置であって、情報を格納する情報格納手段と、前記格納した情報の格納リストを記憶する格納リスト記憶手段と、前記登録された情報処理装置の存在を検出する検出手段と、前記検出した情報処理装置に対して前記格納リストを送信する格納リスト送信手段と、前記格納リストの送信に基づいて前記情報処理装置から要求された情報を送信し、前記情報処理装置から送信された情報を受信して前記情報格納手段に格納する格納情報送受信手段と、前記受信した情報を含むように前記格納リストを更新する格納リスト更新手段と、を情報同期装置に具備させて前記第１の目的を達成する。
請求項２に記載した発明では、請求項１に記載の情報同期装置において、前記登録された情報処理装置の数がｎである場合、前記格納情報送受信手段によりｎ−１回送信した情報を前記情報格納手段から削除する削除手段と、を具備することを特徴とする。
請求項３に記載した発明では、請求項１又は請求項２に記載した情報同期装置を介して、他の情報処理装置と情報を共通化する情報処理装置であって、情報を保存する情報保存手段と、前記保存した情報の保存リストを記憶する保存リスト記憶手段と、前記情報同期装置から送信される格納リストを受信する格納リスト受信手段と、前記保存リスト記憶手段に記憶された保存リストと前記受信した格納リストを比較し、自装置が保有し前記情報同期装置が保有しない自保有情報と、自装置が保有せず前記情報同期装置が保有している非保有情報を決定する決定手段と、前記情報同期装置に前記非保有情報の送信を要求する情報要求手段と、前記要求に基づいて前記情報同期装置から送信される非保有情報を受信して前記情報保存手段に保存し、前記自保有情報を前記情報同期装置に送信する保存情報送受信手段と、前記受信した非保有情報を含むように前記保存リストを更新する保存リスト更新手段と、を情報処理装置に具備させて前記第２の目的を達成する。
【発明の効果】
【０００８】
請求項１に記載の情報同期装置によれば、格納した情報の格納リストを記憶し、この格納リストをいずれか１の登録された情報処理装置に送信し、その情報処理装置から新たな情報を取得し、取得した新たな情報を他の登録された情報処理装置に送信することで、複数の情報処理装置間の情報を容易に共通化することができる。
請求項２に記載の情報同期装置によれば、情報処理装置から取得した情報を、他の登録された情報処理装置の全てに送信した後に削除するので、情報格納しておく容量を小さくすることができる。
請求項３に記載の情報処理装置によれば、情報同期装置を介して、自保有情報を送信し、非保有情報を受信するようにしたので、登録された他の情報処理装置間で容易に情報を共通化することができる。
【発明を実施するための最良の形態】
【０００９】
以下、本発明の情報同期装置と情報処理装置における好適な実施の形態について、図１から図６を参照して詳細に説明する。
（１）実施形態の概要
本実施形態では、図１に示されるように、情報同期装置１と車両に搭載された情報処理装置２ａ、家庭用のパーソナルコンピュータやＰＤＡ等で構成される情報処理装置２ｂとで情報同期化システムが構成される。
情報同期装置１は、情報処理装置２（２ａ、２ｂ）と、ＵＷＢ（Ｕｌｔｒａ  Ｗｉｄｅ  Ｂａｎｄ）、無線ＬＡＮ、ＷＬＡＮ、ブルートゥース（Ｂｌｕｅｔｏｏｔｈ）等の無線通信により、コンテンツ（情報）の送受信を行う。
そして、情報同期装置１は、ストレージ機能を備えた現在のキーレスエントリ装置程度の大きさの小型のコンテンツ同期装置が使用される。
【００１０】
ユーザが情報同期装置１を家の情報処理装置（ＰＣ）２ｂの近くに置いておくと、情報同期装置１と情報処理装置２ｂ間で認証（登録されている装置か否かの確認）が行われ、情報同期装置１から格納したコンテンツのリストである格納リストが情報処理装置２ｂに送信される。
情報処理装置２ｂでは、自装置の保存リストと受信した格納リストを比較して、保存リストにあって格納リストに無い自保有コンテンツ（自保有情報）を情報同期装置１に送信する。これにより、情報処理装置２ｂで特定のサーバ等からダウンロードした音楽や画像のコンテンツを情報同期装置１にコピーされる。
【００１１】
一方、ユーザが情報処理装置２ｂからコンテンツをコピーした情報同期装置１を持って車両に近づくと、車載された情報処理装置２ａとの間で認証が行われ、情報同期装置１から格納リストが送信される。
情報処理装置２ａは、自装置の保存リストと受信した格納リストを比較して、格納リストにあって保存リスト無い非保有コンテンツ（非保有情報）を情報同期装置１に要求して受信及び保存する。
【００１２】
以上の処理によって、家の情報処理装置２ｂで取得したコンテンツは、情報同期装置１を介して車載された情報処理装置２ａにコピーされる。
一方、逆方向（情報処理装置２ａから情報処理装置２ｂへ）も同様にコピーされ、結果的に車載の情報処理装置２ａと家の情報処理装置（ＰＣ）２ｂのコンテンツは同じ物となり共通化される。
【００１３】
（２）実施形態の詳細
図２は情報同期装置１の構成を表したものである。
図２に示されるように情報同期装置１は、制御部１１、無線通信装置１２、プログラム記憶部１３、データストレージ１４を備えており、それぞれデータバス等のバスラインで接続されている。
制御部１１はＣＰＵ（中央演算処理装置）や作業領域としてのＲＡＭ備えており、プログラム記憶部１３に格納された共通化プログラムを実行することで、検出手段、格納リスト送信手段、格納情報送受信手段、格納リスト更新手段、削除手段として機能する。
【００１４】
無線通信装置１２は、情報処理装置２との間で無線通信によりコンテンツデータを中心とする各種情報の送受信を行う。
無線通信装置１２は、検出手段として機能し、情報処理装置２から発振されている特定周波数（例えば、２．４５ＧＨｚ）の電波を受信することで情報処理装置２の存在を検出する。
【００１５】
プログラム記憶部１３は、共通化プログラム１３１、及び必要に応じて他のプログラムを備えている。
共通化プログラム１３１は、登録された他の情報処理装置２との間でお互いのコンテンツを複写しあうことでコンテンツ（情報）の共通化を行うために、情報処理装置２との間でコンテンツや格納リスト等の送受信を行うためのプログラムである。
共通化プログラム１３１は、情報処理装置２との間で登録の有無を確認する認証部１３１ａ、格納リストやコンテンツの送受信を行う通信部１３１ｂ、格納リストの更新を行うリスト管理部１３１ｃを備える。
【００１６】
データストレージ１４は、各種データを記憶する記憶手段であり、半導体メモリが使用される。半導体メモリとしては、不揮発性のメモリであることが好ましく、例えば、フラッシュメモリ等の各種半導体メモリが使用される。なお、データストレージ１４としては、半導体メモリに限られず、小型のハードディスク等の記憶手段を使用するようにしてもよい。
データストレージ１４は、ＩＤ記憶部１４１、コンテンツ格納部１４２、格納リスト記憶部１４３を備えている。
【００１７】
ＩＤ記憶部１４１は、情報処理装置２との間で登録されている情報同期装置１か否かを区別するためのＩＤが記憶される。
本実施形態においてＩＤは情報同期装置１に予め登録されている。
なお、初期状態でＩＤが登録されていず、情報処理装置２で設定することができるようにしてもよい。この場合、情報同期装置１は、情報処理装置２から送信されるＩＤを受信してＩＤ記憶部１４１に登録するＩＤ登録プログラムを備える。
また、初期状態でＩＤが登録されていて、その後、情報処理装置２からの送信によりＩＤを変更することができるようにしてもよい。この場合も、ＩＤ登録プログラムを備える。
【００１８】
コンテンツ格納部１４２は、情報格納手段として機能し、ＩＤ登録された情報処理装置２から送信されるコンテンツが格納される。
情報処理装置２から受信してコンテンツ格納部１４２に格納されるコンテンツ（共通化されるコンテンツ）としては、例えば、音楽ファイル、画像ファイル（静止画、動画）、ＰＯＩデータ、走行履歴等の各種コンテンツが対象となる。
コンテンツ格納部１４２に格納されたコンテンツは、他の情報処理装置２に送信した後削除される。これにより、データストレージ１４の容量を少なくすることが可能になる。
【００１９】
格納リスト記憶部１４３は、格納リスト記憶手段として機能し、コンテンツ格納部１４２に格納されたコンテンツを特定するコンテンツ特定情報のリストが記憶される。
コンテンツ特定情報としては、例えば、コンテンツのタイトルや、識別子等の各種情報を使用することが可能である。
格納リスト記憶部１４３に記憶されたコンテンツ特定情報は、新たなコンテンツがコンテンツ格納部１４２に格納されると追加されるが、コンテンツ格納部１４２のコンテンツが削除されても削除はされない。
【００２０】
図３は、情報処理装置２の構成を表したものである。
この図３に示されるように、情報処理装置２は、制御部２１、無線通信装置２２、プログラム記憶部２３、データストレージ２４、入出力装置２５、その他の装置２６を備えており、それぞれデータバス等のバスラインで接続されている。
制御部２１はＣＰＵ（中央演算処理装置）や作業領域としてのＲＡＭ備えており、プログラム記憶部２３に格納された共通化プログラムを実行することで、格納リスト受信手段、決定手段、情報要求手段、保存情報送受信手段、保存リスト更新手段、コンテンツ監視手段等の各種手段として機能する。
【００２１】
無線通信装置２２は、情報同期装置１２との間で無線通信によりコンテンツデータを中心とする各種情報の送受信を行う。
無線通信装置２２は、情報処理装置２の存在を情報同期装置１に告知するための、特定周波数（例えば、２．４５ＧＨｚ）の電波を発信することで存在告知手段として機能する。
本実施形態において無線通信装置２２は、車両のイグニッションオン、オフに係わらずに告知用の電波を発信しているが、イグニッションオンの場合に発信し、イグニッションオフの場合には発信しないようにしてもよい。
なお、情報同期装置１の検出手段と、情報処理装置２の存在告知手段を、それぞれ逆に備えさせるようにしてもよい。この場合、後述する情報同期装置１からのＩＤ送信は、情報処理装置２からの要求に基づいて送信することになる。
【００２２】
プログラム記憶部２３は、共通化プログラム２３１、コンテンツ監視プログラム２３２、ＩＤ登録プログラム２３３、及びその他のプログラム２３４を備えている。
共通化プログラム２３１は、登録された他の情報処理装置２との間でお互いのコンテンツを複写しあうことでコンテンツ（情報）の共通化を行うために、情報同期装置１との間でコンテンツや格納リスト等の送受信を行うためのプログラムである。
共通化プログラム２３１は、情報同期装置１との間で登録の有無を確認する認証部２３１ａ、格納リストやコンテンツの送受信を行う通信部２３１ｂ、保存リストの更新を行うリスト管理部２３１ｃを備える。
【００２３】
コンテンツ監視プログラム２３２は、情報同期装置１以外からコンテンツの取得がされたか否かを監視し、保存リストを更新するプログラムである。
情報処理装置２が情報同期装置１以外からコンテンツを取得する場合として、家庭用の情報処理装置（ＰＣ）２ａであれば、ネットワーク接続されたコンテンツ配信サーバから所定のコンテンツをダウンロードした場合、ＣＤＲＯＭドライブ等の各種記憶媒体駆動装置を介して記憶媒体からコンテンツを複写した場合、目的地までの走行経路を探索して走行経路データを取得した場合等がある。
一方、車両に搭載された情報処理装置２である場合、情報センタやビーコン等の情報発信源から交通情報やＰＯＩ（Ｐｏｉｎｔ  Ｏｆ  Ｉｎｔｅｒｅｓｔ）情報等の各種情報を取得した場合や、実際に走行した走行経路のデータを取得した場合等がある。
【００２４】
ＩＤ登録プログラム２３３は、コンテンツの共通化処理のために使用する情報同期装置１を初期登録するためのプログラムで、制御部２１で実行されることで登録手段として機能する。
ＩＤ登録プログラム２３３は、未だＩＤ登録がされていない状態で、情報同期装置１からＩＤが送信された場合に起動し、入出力装置２５の表示装置に情報処理装置２周辺に存在する情報同期装置１の登録をして良いか否かの確認画面を表示し、ユーザに承認された場合に、受信したＩＤをデータストレージ２４のＩＤ記憶部２４１に格納する。
【００２５】
なお、情報同期装置１に対するＩＤの初期登録、及びＩＤの変更を情報処理装置２から行えるようにしてもよい。
この場合、情報処理装置２は、入出力装置２５からユーザによって入力されたＩＤをＩＤ記憶部２４１に格納すると共に、無線通信装置２２を介して周辺に存在する情報同期装置１に対して新規登録又は更新するＩＤを送信する。
情報同期装置１では、情報同期装置１は、情報処理装置２から送信されるＩＤを受信してＩＤ記憶部２４１に初期登録又は更新登録をする。
【００２６】
その他のプログラム２３４としては、各種コンテンツを取得するためのプログラムや、車両搭載の情報処理装置２ａの場合には走行経路、各種交通情報、ＰＯＩ情報等に基づく各種処理を行うナビゲーションプログラム等がある。
【００２７】
データストレージ２４は、各種データを記憶する記憶手段であり、大容量の記憶媒体が使用される。大容量の記憶媒体としては、ハードディスク、半導体メモリ、ＤＶＤ等の各種記憶媒体が１又は複数使用される。
データストレージ２４は、ＩＤ記憶部２４１、コンテンツ保存部２４２、保存リスト記憶部２４３、その他の記憶部を備えている。
その他の記憶部は、各情報処理装置２ごとに固有の記憶部が設けられており、例えば、車載の情報処理装置２ａの場合には、ナビゲーション処理に使用される地図データ、音声出力用の音声データ等が記憶される。
【００２８】
ＩＤ記憶部２４１は、登録されている情報同期装置１を識別するためのＩＤが記憶される。
【００２９】
コンテンツ保存部２４２は、情報保存手段として機能し、ＩＤ登録された情報同期装置１から送信されるコンテンツが保存される。
コンテンツ保存部２４２にコンテンツが保存されるのは、情報同期装置１から送信される場合と、情報同期装置１以外からコンテンツを取得する場合とがある。そのいずれの場合においても、コンテンツ保存部２４２にコンテンツが保存されると、保存リスト記憶部２４３の保存リストは更新される。
【００３０】
コンテンツ保存部２４２に保存されたコンテンツは、コンテンツを情報同期装置１に送信することによっては削除されず、ユーザのコンテンツ削除処理によって削除される。
一度削除されたコンテンツは、原則として、登録された（同一ＩＤが保存されている）他の情報処理装置２から情報同期装置１を介して取得することはできないが、削除したコンテンツに対応するコンテンツ特定情報を保存リストから削除することで取得することができる。
【００３１】
保存リスト記憶部２４３は、保存リスト記憶手段として機能し、コンテンツ保存部２４２に保存されたコンテンツを特定するコンテンツ特定情報のリストが記憶される。
コンテンツ特定情報としては、情報同期装置１の格納リスト記憶部１４３に格納されるコンテンツ特定情報と同じ情報が使用される。
保存リスト記憶部２４３に記憶されたコンテンツ特定情報は、新たなコンテンツがコンテンツ保存部２４２に保存されると追加されるが、コンテンツ保存部２４２のコンテンツが削除されても削除はされない。
【００３２】
入出力装置２５は、入力装置と出力装置であり、情報処理装置２によってそれぞれ固有の入力装置、出力装置が接続される。
例えば、車載された情報処理装置２ａであれば出力装置として液晶表示装置や音声出力装置が該当し、家庭用の情報処理装置（ＰＣ）２ｂであれば出力装置として表示装置やプリンタ等が該当する。
また、入力装置としてはキーボードやタッチパネル等の入力装置や音声認識装置など情報処理装置２に固有な各種入力装置が接続される。
【００３３】
その他の装置２６も同様に、情報処理装置２によってそれぞれ固有の装置が必要に応じて接続される。
例えば、車載の情報処理装置２ａの場合、車両の現在位置を取得するための現在位置取得装置（例えば、ＧＰＳ装置やジャイロセンサ、車速検出装置等）や、ビーコン受信装置等の各種装置が接続される。
【００３４】
以上のように構成された情報同期装置１を介して情報処理装置２間でコンテンツを共通化する共通化処理について説明する。
まず、共通化処理の概要について説明する。
図４は、家庭に配置された情報処理装置（ＰＣ）２ｂと車載された情報処理装置２ａとの間で情報同期装置１を介してコンテンツが共通化される様子を経時的に表したものである。
前提として、コンテンツの共通化が行われる前の状態において、家庭の情報処理装置２ｂにはコンテンツＡＢＣとその保存リスト（ａｂｃ）が保存され、車載の情報処理装置２ａにはコンテンツＡＢＤとその保存リスト（ａｂｄ）が保存されている。
すなわち、情報処理装置２ｂはＣを、情報処理装置２ａはＤを独自に保有しているものとする。
また、共通化前の状態で情報同期装置１には、コンテンツが格納されていず（全て削除されている）、格納リストに（ａｂ）が格納されているものとする。
【００３５】
まず、ユーザは情報同期装置１を、家庭の情報処理装置（ＰＣ）２ｂの周辺（情報処理装置２ｂから発信される電波を受信可能な距離、例えば、１ｍ以内）に移動させる。
すると、図４（ａ）に示されるように、情報同期装置１と情報処理装置２ｂ間で後述する認証が行われた後、情報同期装置１から格納リスト（ａｂ）が送信される。
情報処理装置２ｂは格納リスト（ａｂ）を受信すると、保存リスト（ａｂｃ）とを比較し、格納リスト（ａｂ）にないコンテンツＣを情報同期装置１に送信する。
これにより情報同期装置１は、コンテンツＣを受信することで、コンテンツＣ、格納リスト（ａｂｃ）となる。
【００３６】
次にユーザは、図４（ｂ）に示されるように、コンテンツＣ、格納リスト（ａｂｃ）となった情報同期装置１を車載された情報処理装置２ａの周辺に移動させると、同様にして認証の後、情報同期装置１から格納リスト（ａｂｃ）を送信する。
情報処理装置２ａは、格納リスト（ａｂｃ）と保存リスト（ａｂｄ）を比較し、自保有コンテンツＤを送信すると共に、非保有コンテンツＣを受信する。
これにより、情報同期装置１は、送信したコンテンツＤを削除し、受信したコンテンツＣを格納すると共に、コンテンツリストを更新することで、コンテンツＤ、格納リスト（ａｂｃｄ）となる。
一方、情報処理装置２ａは、コンテンツＤを受信とコンテンツリストの更新により、コンテンツＡＢＣＤ、保存リスト（ａｂｃｄ）となる。
【００３７】
その後更にユーザが情報同期装置１を家庭の情報処理装置２ｂ周辺に移動させると、認証の後、格納リスト（ａｂｃｄ）を送信する。
情報処理装置２ｂは、格納リスト（ａｂｃｄ）と保存リスト（ａｂｃ）とを比較し、非保有コンテンツであるＤを受信し、保存リストを更新する。
これにより、家庭の情報処理装置（ＰＣ）２ｂは、コンテンツＡＢＣＤ、保存リスト（ａｂｃｄ）となり、車載の情報処理装置２ａとの間で保有するコンテンツが共通化される。
情報同期装置１は、コンテンツＤを情報処理装置２ｂに送信後削除することで、コンテンツなし、格納リスト（ａｂｃｄ）となり、情報処理装置２ａ、２ｂ、情報同期装置１の３者間のリストが同一になる。
【００３８】
このように、ユーザは情報同期装置１を所持して、登録された２つの情報処理装置２ａ、２ｂ間を１往復するだけで、情報処理装置２ａ、２ｂ間のコンテンツを共通化することができる。
【００３９】
図５は、情報処理装置２におけるコンテンツ監視処理の動作を表したフローチャートである。
情報処理装置２の制御部２１は、情報同期装置１との共通化処理以外にコンテンツを取得してコンテンツ保存部２４２に追加されたか否かを監視している（ステップ１１）。
そして、新しいコンテンツが追加された場合（ステップ１１；Ｙ）、制御部２１は、追加されたコンテンツに対応するコンテンツ特定情報を保存リストに追加することで保存リスト記憶部２４３を更新し（ステップ１２）、メインルーチンにリターンする。
【００４０】
図６は、情報同期装置１と情報処理装置２で実行される共通化処理を表したフローチャートである。
情報同期装置１は２つの情報処理装置２間で共通化処理を行うことで両情報処理装置２間のコンテンツが共通化される。
情報同期装置１の制御部１１は、情報処理装置２が発信する告知用の電波を監視することで通信可能な情報処理装置２が通信範囲以内に存在するか検出している（ステップ２０１、検出手段）。
制御部１１は、情報処理装置２の存在を検出すると、ＩＤ記憶部１４１に格納されているＩＤを読み出し、無線通信装置１２介して、検出した情報処理装置２に送信する（ステップ２０２）。
そして制御部１１は、情報処理装置２から格納リスト要求を受信したか監視する（ステップ２０３）。
【００４１】
情報処理装置２の制御部２１は、無線通信装置２２でＩＤを受信したか否かを監視している（ステップ１０１）。
制御部２１は、ＩＤを受信した場合（ステップ１０１；Ｙ）、受信したＩＤをＩＤ記憶部２４１に記憶したＩＤと比較し、登録されたＩＤか否かを判断する（ステップ１０１）。
そして、制御部２１は、登録ＩＤでない場合には、ステップ１０１に戻りＩＤの監視を継続する。
【００４２】
この場合、ＩＤを送信した情報同期装置１の制御部１１では、情報処理装置２からコンテンツリスト要求を所定時間以内に受信しないので（ステップ２０３；Ｎ）、ステップ２１１に戻って情報処理装置２の存在監視を継続する。
【００４３】
一方、情報処理装置２の制御部２１は、受信したＩＤが登録されたＩＤであると判断すると（ステップ１０２；Ｙ）、無線通信装置２２から情報同期装置１に対して格納リストを要求する（ステップ１０３）。
なお、情報同期装置１と情報処理装置２間の通信は無線通信装置１１、２２を介して行われるが、以下説明の簡単のため無線通信装置を介しての送受信であることについては省略する。
【００４４】
情報同期装置１の制御部１１はリスト要求を受信すると（ステップ２０３；Ｙ）、格納リスト記憶部１４３から格納リストを読み出して情報処理装置２に送信する（ステップ２０４）。
【００４５】
情報処理装置２の制御部２１は、格納リストを受信するとＲＡＭに一時記憶し（ステップ１０４）、保存リスト記憶部２４３に保存されている保存リストと受信した格納リストを比較し、両者の差分を判断する（ステップ１０５）。
両者に差分がない場合（ステップ１０５；Ｎ）には、メインルーチンにリターンする。
【００４６】
一方、保存リストと格納リストに差がある場合（ステップ１０５；Ｙ）、情報処理装置２の制御部２１は、自装置のコンテンツ保存部２４２に保存されていて、情報同期装置１に無いコンテンツ（自保有情報）を決定して、情報同期装置１に送信する（ステップ１０６）。
また、制御部２１は、コンテンツ保存部２４２に保存されていず、情報同期装置１に格納されている不足分のコンテンツ（非保有情報）を決定して、情報同期装置１に要求する。不足分のコンテンツの要求は、不足しているコンテンツのコンテンツ特定情報を送信することで行う（ステップ１０７）。
以上の制御部２１が、ステップ１０６と１０７により自保有コンテンツと非保有コンテンツを決定することで、決定手段として機能する。
【００４７】
一方、情報同期装置１の制御部１１は、情報処理装置２から送信されるコンテンツを受信し、コンテンツ格納部１４２に格納する（ステップ２０５）。
また、情報同期装置１の制御部１１は、情報処理装置２から送信されるコンテンツ不足分の要求（コンテンツ特定情報）を受信し（ステップ２０６）、要求されたコンテンツ特定情報に対応するコンテンツをコンテンツ格納部１４２から読み出して情報処理装置２に送信する（ステップ２０７）。
【００４８】
そして情報同期装置１の制御部１１は、情報処理装置２に送信したコンテンツをコンテンツ格納部１４２から削除する（ステップ２０８）。
更に情報同期装置１の制御部１１は、情報処理装置２から受信してコンテンツ格納部１４２に格納したコンテンツのコンテンツ特定情報を格納リスト記憶部１４３に格納することで、格納リストの更新を行い（ステップ２０９）、メインルーチンにリターンする。
【００４９】
情報処理装置２の制御部２１は、情報同期装置１に対して要求（ステップ１０７）することで情報同期装置１から送信された不足分のコンテンツを受信し、コンテンツ保存部２４２に保存する（ステップ１０８）。
更に制御部２１は、コンテンツ保存部２４２に保存したコンテンツのコンテンツ特定情報を保存リスト記憶部２４３に保存することで、保存リストの更新を行い（ステップ１０９）、メインルーチンにリターンする。
【００５０】
以上説明したように本実施形態の情報同期装置１及び情報処理装置２によれば、情報処理装置２の自保有コンテンツ（情報）を情報同期装置１に送信し、情報同期装置１から非保有コンテンツ（情報）を受信するようにしたので、他の情報処理装置２間での情報を容易に共通化することができる。
【００５１】
また、自保有コンテンツ、非保有コンテンツの決定を、情報処理装置２の保存リストと情報同期装置１の格納リストを比較することとし、両リストのコンテンツ特定情報はコンテンツの送信にかかわらず削除しないで保存しておくことにより、送信済みのコンテンツを情報同期装置１のコンテンツ格納部１４２から削除することができる。従って、情報同期装置１のコンテンツ格納部１４２の容量を小さくすることができる。
【００５２】
以上、本発明の情報同期装置及び情報処理装置における１実施形態について説明したが、本発明は説明した実施形態に限定されるものではなく、各請求項に記載した範囲において各種の変形を行うことが可能である。
例えば、説明した実施形態では、１つの情報同期装置１に対して情報処理装置２ａと情報処理装置２ｂの２つが登録されている場合について説明したが、ｎ個の情報処理装置２を登録するようにしてもよい。
この場合、情報同期装置１の制御部１１は、受信したコンテンツを他の情報処理装置２に送信した回数をカウントし（送信回数カウント手段）、該コンテンツをｎ−１回送信したらコンテンツ格納部２４２から削除する。
送信回数のカウントは、コンテンツ格納装置に格納された各コンテンツ毎に送信回数を記録するエリアを設け、コンテンツを送信する毎に回数を１増加させることで可能である。
このように、ｎ個の情報処理装置２が登録されている場合であっても、本実施形態では、共通化処理を行った後の情報同期装置１と情報処理装置２間では、常に格納リストと保存リストの内容が一致しているので、送信回数の判断だけでコンテンツを削除してよいか判断することができ、コンテンツを送信した情報処理装置２を記録する必要がない。
【００５３】
また、説明した実施形態では、情報同期装置１が格納リストを情報処理装置２に送信し、情報処理装置２で自保有コンテンツ、非保有コンテンツの決定をしたが、その逆とすることも可能である。
例えば、ユーザが情報同期装置１を家のＰＣの近くに置いておくことにより無線通信経由で認証を行い、家の情報処理装置２ｂに保存されているコンテンツの保存リストとコンテンツ本体が情報同期装置１に無線通信によりコピーされるようにする。
そして、ユーザはこの情報同期装置１を持って車に乗り込むと、情報同期装置１は、車載された情報処理装置２ａと認証を行い、認証成立後、車載の情報処理装置２ａに保存されているコンテンツの保存リストを無線通信を使用して取得し、家の情報処理装置２の保存リストと車載の情報処理装置２ａ側の保存リストとを比較し、車載の情報処理装置２ａ側にないコンテンツを情報同期装置１から車載の情報処理装置２ａへとコピーする。
また逆方向も同様にコピーされ、結果的に車載の情報処理装置２ａと家の情報処理装置（ＰＣ）２ｂのコンテンツは同一になり共通化される。
【００５４】
また、情報同期装置１は格納リストを送信し、情報処理装置２は保存リストを送信し、情報同期装置１、情報処理装置２が両リスト（格納リスト、保存リスト）を比較して、必要な（非保有の）コンテンツの送信要求（コンテンツ特定情報）を送信するようにしてもよい。
情報同期装置１と情報処理装置２は、送信要求があったコンテンツ（コンテンツ特定情報で特定されるコンテンツ）を送信する。
【００５５】
また、説明した実施形態及び上記変形例では、情報同期装置１と各情報処理装置２が格納、保存したコンテンツのリスト（格納リスト、保存リスト）に基づいて、自保有コンテンツ、非保有コンテンツを確認するようにしたが、コンテンツのリストを保存せずに他の方法によってもよい。
この場合、情報同期装置１は、自装置を特定する情報同期装置ＩＤと、登録されている全ての情報処理装置２を区別する情報処理装置ＩＤをＩＤ記憶部１４１に記憶する。一方、情報処理装置２は、自装置を特定する情報処理装置ＩＤと、登録されている全ての情報同期装置１の情報同期装置ＩＤをＩＤ記憶部２４１に記憶する。
そして、情報同期装置１と情報処理装置２は、相手側装置に対する送信要求を行わずに、両装置が、相手側装置に対して送信すべきコンテンツの有無を判断して必要なコンテンツを送信する。
【００５６】
そして、情報同期装置１と情報処理装置２間の認証は、次のように行われる。
情報同期装置１が周辺に存在する情報処理装置２を検出すると、自装置の情報同期装置ＩＤを送信する。
情報処理装置２は受信した情報同期装置ＩＤがＩＤ記憶部２４１に登録されているか否かを判断し、登録されていれば自装置の情報処理装置ＩＤを情報同期装置１に送信する。
【００５７】
情報処理装置２は、情報同期装置１以外から新たなコンテンツを取得した場合、そのコンテンツを情報同期装置１に送信する際に自装置の情報処理装置ＩＤも併せて送信する。
そして、送信したコンテンツには、送信済み情報として、送信相手の（認証の際に受信した情報同期装置１の）情報同期装置ＩＤを関連付けて記憶しておく。ただし、情報処理装置２に登録可能な情報同期装置１が１つだけに限定される場合には、送信済み情報として送信済みフラグを記憶する。
情報処理装置２は、送信済み情報が記憶されていないコンテンツを、情報同期装置１に対して送信すべきコンテンツと判断する。
【００５８】
一方、情報同期装置１は、コンテンツに関連付けて、コンテンツと共に受信した情報処理装置ＩＤを送信者情報として記憶する。
また、情報処理装置２は、コンテンツを送信済みの情報処理装置２の情報処理装置ＩＤを送信済み情報として記憶する。ただし、情報同期装置１に登録可能な情報処理装置２が２つだけに限定されている場合には、送信済み情報の記憶は不要である。
そして、情報同期装置１は、認証の際に受信した情報処理装置２の情報処理装置ＩＤが、送信者情報及び送信済み情報のいずれにも関連付けられていないコンテンツの有無を判断し、関連付けられていないコンテンツを送信すべきコンテンツと判断して、当該情報処理装置２に送信する。
【００５９】
以上により、コンテンツのリストを格納、保存を不要とし、コンテンツリストの送信をする必要がなくなる。
また、情報処理装置２は、ＩＤ記憶部２４１に複数の情報同期装置１の情報同期装置ＩＤを登録可能にすることで、複数の情報同期装置１を介してグループ化された種々の情報処理装置２との間でコンテンツの共通化を行うことができる。
【図面の簡単な説明】
【００６０】
【図１】本発明の１実施形態における情報同期装置と、車両に搭載された情報処理装置、家庭用の情報処理装置とで構成される情報同期化システムのシステム構成図である。
【図２】本実施形態における情報同期装置の構成図である。
【図３】本実施形態における情報処理装置の構成図である。
【図４】家庭に配置された情報処理装置（ＰＣ）と車載された情報処理装置との間で情報同期装置を介してコンテンツが共通化される様子を経時的に表した説明図である。
【図５】情報処理装置におけるコンテンツ監視処理の動作を表したフローチャートである。
【図６】情報同期装置と情報処理装置の各々で実行される共通化処理を表したフローチャートである。
【符号の説明】
【００６１】
１  情報同期装置
１１  制御部
１２  無線通信装置
１３  プログラム記憶部
１４  データストレージ
２  情報処理装置
２１  制御部
２２  無線通信装置
２３  プログラム記憶部
２４  データストレージ
２５  入出力装置
２６  その他の装置
【図１】
2005267157.tif 000003
【図２】
2005267157.tif 000004
【図３】
2005267157.tif 000005
【図４】
2005267157.tif 000006
【図５】
2005267157.tif 000007
【図６】
2005267157.tif 000008